(57)【特許請求の範囲】
【請求項１】
ナイロン製のストッキング生地から生成され、手の甲および掌を被覆するとともに、親指、人差し指、中指、薬指、小指をそれぞれ挿入する挿入口が設けられた手カバー部と、
ナイロン製のストッキング生地から生成され、腕を覆う筒状の腕カバー部と、を有し、
前記手カバー部と前記腕カバー部は、それぞれ分離して設けられ、該手カバー部の腕側端部を２重または３重の厚さにしている部位が該腕カバー部の手側端部を２重または３重の厚さにしている部位を超えるようにして装着することにより、該手カバー部と該腕カバー部との接合部が離れることなく、接合を維持できるようにしたことを特徴とする手腕分離型カバー。
【請求項２】
左右の腕に装着する前記腕カバー部を一体にする左右腕カバー一体部を、さらに有し、
該左右腕カバー一体部は、左右の腕に前記腕カバー部を装着した際に、背中側の首下から略脇部内に配され、左右の前記腕カバー部と一体形成されていることを特徴とする請求項１記載の手腕分離型カバー。
【発明の詳細な説明】
【技術分野】
【０００１】
本発明は、腕部分と手部分を覆う手腕分離型カバーに関する。
【背景技術】
【０００２】
従来より、腕部分と手部分を覆うハンドストッキングが知られている。
【０００３】
このハンドストッキングは、ナイロン製の腕用のハンドストッキングで、各指の指先の少なくとも爪の部分を露出できるように開放されている手部と、その手部から上腕部の肘の近傍まで延びる腕部とが一体構成されているものであった（たとえば、特許文献１）。
【先行技術文献】
【特許文献】
【０００４】
【特許文献１】実用新案登録第３０８２５８号公報
【発明の概要】
【発明が解決しようとする課題】
【０００５】
しかしながら、従来のハンドストッキングは、ナイロン製であるので手洗いが可能であるが、実際ハンドストッキングを手部分および腕部分に取り付けた状態で、手洗いを行うと違和感が多く、結局ハンドストッキングを取り外して手洗いせざるを得なかった。また、従来のハンドストッキングは、指先の爪部分が外部に露出しているものであるが、ハンドストッキングを取り付けて御手洗いに行くと、とても不衛生に感じることが多かった。また、握手をする際に、ハンドストッキングを取り付けて握手をすると、相手方に失礼になるということもあった。さらに、ハンドストッキングを取り付けて女性が化粧直しを行うと、ハンドストッキングに化粧成分が付着するという問題もあった。
【０００６】
このように、ハンドストッキングを取り外さざるを得ない状態が多くあったが、ハンドストッキングを取り外すためには、ハンドストッキングの腕部から取り外さざるを得ないので取り外しが大変であるとともに手間が大きかった。特に、冬場は、長袖のシャツやジャンバーなどの衣類を着用しているので、ハンドストッキングを取り外そうとすると、それらの衣類を脱がなければならいという不便さが大きいという問題があった。
【０００７】
本発明は上記問題点に鑑みてなされたもので、手部分のみを開放したいときに、素早く手部分のみを容易に開放することができる手腕分離型カバーを提供することを目的とする。
【課題を解決するための手段】
【０００８】
上記課題を解決し上記目的を達成するために、本発明のうち第１の態様に係るものは、ナイロン製のストッキング生地から生成され、手の甲および掌を被覆するとともに、親指、人差し指、中指、薬指、小指をそれぞれ挿入する挿入口が設けられた手カバー部と、ナイロン製のストッキング生地から生成され、腕を覆う筒状の腕カバー部と、を有し、手カバー部と腕カバー部は、それぞれ分離して設けられ、手カバー部の腕側端部を２重または３重の厚さにしている部位が腕カバー部の手側端部を２重または３重の厚さにしている部位を超えるようにして装着することにより、手カバー部と腕カバー部との接合部が離れることなく、接合を維持できるようにしたことを特徴とするものである。
【０００９】
親指、人差し指、中指、薬指、小指をそれぞれ挿入する挿入口が設けられた手カバー部では、手カバー部を腕方向に捲り上げることができないことから、腕カバー部と手カバー部が一体構成になったものでは、手カバー部を腕カバー部ともに取り外さざるを得なかったが、本発明によれば、手カバー部と腕カバー部はそれぞれ分離して構成しているので、腕カバー部を取り外すことなく手カバー部のみを素早く取り外すことができ、使用勝手を良くすることができる。また、手カバー部と腕カバー部がそれぞれ分離しているので、手カバー部と腕カバー部のいずれかが損傷により使用できなくなった場合でも、手カバー部と腕カバー部の全体を交換することなく、その使用できなくなった一方のものだけ交換すればよく、また、手カバー部のみを落ち着いた手カバー部やファッション性のある手カバー部やビジネスに使用する手カバー部など、用途により各種の手カバー部に交換することもできる。さらに、ストッキング生地から生成された手カバー部の腕側端部を２重または３重の厚さにしている部位がストッキング生地から生成された腕カバー部の手側端部を２重または３重の厚さにしている部位を超えるようにして装着することにより、手カバー部と腕カバー部との接合部が離れないようにしているので、ファッション性を保ちながら簡単な方法で手カバー部と腕カバー部との接合を維持できる。
【００１４】
本発明のうち第２の態様に係るものは、第１の態様に係る手腕分離型カバーであって、左右の腕に装着する腕カバー部を一体にする左右腕カバー一体部を、さらに有し、左右腕カバー一体部は、左右の腕に腕カバー部を装着した際に、背中側の首下から略脇部内に配され、左右の腕カバー部と一体形成されていることを特徴とするものである。
【００１５】
本発明によれば、左右腕カバー一体部が、左右の腕に腕カバー部を装着した際に、背中側の首下から略脇部内に配され、左右の腕カバー部と一体形成されているので、腕カバー部をフィット感良く装着できるとともに、左右の腕カバー部がずり落ちることもなくすることができる。また、左右腕カバー一体部が背中側の首下から略脇部内に配されているので、左右腕カバー一体部により胸が広げられストレッチ効果を有するとともに、背筋が張った状態になり猫背の人にとっても姿勢がよくなるという効果を有する。
【発明の効果】
【００１６】
本発明の手腕分離型カバーによれば、手部分のみを開放したいときに、素早く手部分のみを容易に開放することができる。
【図面の簡単な説明】
【００１７】
【図１】本発明の第１実施形態における手腕分離型カバーを示す図である。
【図２】同手腕分離型カバーの手カバー部を示す図である。
【図３】同手腕分離型カバーの腕カバー部を示す図である。
【図４】本発明の第２実施形態における手腕分離型カバーの腕カバー部を示す図である。
【図５】本発明の第３実施形態における手腕分離型カバーの腕カバー部を示す図である。
【図６】本発明の変形例１における手腕分離型カバーの手カバー部を示す図である。
【発明を実施するための形態】
【００１８】
（第１実施形態）
以下、本発明にかかる第１実施形態における手腕分離型カバーについて説明する。ここで、図１は本発明の第１実施形態における手腕分離型カバーを示す図であり、図２は同手腕分離型カバーの手カバー部を示す図であり、図３は同手腕分離型カバーの腕カバー部を示す図である。
【００１９】
図１に示すように、手腕分離型カバー１は、手カバー部２、腕カバー部３から構成されている。
【００２０】
手カバー部２は、ナイロン製のストッキング生地から生成され、手の甲および掌が被覆されているとともに、親指、人差し指、中指、薬指、小指をそれぞれ挿入する挿入口４（４ａ〜４ｅ）が設けられている。具体的には、挿入口４は、親指、人差し指、中指、薬指、小指に対応して、親指挿入口４ａ、人差し指挿入口４ｂ、中指挿入口４ｃ、薬指挿入口４ｄ、小指挿入口４ｅがそれぞれ設けられている。ここで、「ナイロン製のストッキング生地」とは、女性用のパンティストッキングと同様の肌色の素材の生地のことである。なお、本実施形態では、手カバー部２をナイロン製のストッキング生地から生成することにしたが、これに限らず、ポリウレタン製のストッキング生地や、厚手のタイツ生地から生成するようにしてもよく、手カバー部２の素材は、ナイロン製のストッキング生地に限定されるものではない。ここで、「ストッキング」は３０デニール未満の薄手の生地のことであり、タイツは３０デニール以上の厚手の生地のことであると一般的に言われているが、これに限るものではない。また、本実施形態では、肌色の手カバー部２を用いたが、これに限らず、黒色、灰色などの色の手カバー部２であってもよく、肌色以外の手カバー部２であってもよい。
【００２１】
手カバー部２として、（１）親指、人差し指、中指、薬指、小指をそれぞれ挿入口４（４ａ〜４ｅ）に挿入し、その挿入した親指、人差し指、中指、薬指、小指全体を被覆する形態の手カバー部２Ａが考えられる（図２（ａ）参照）。この手カバー部２Ａを用いることにより、手全体を日焼けから防止することができるとともに、冬季においては手全体の保温効果を発揮させることができる。また、（２）親指、人差し指、中指、薬指、小指をそれぞれ挿入口４（４ａ〜４ｅ）から挿入し、その挿入した親指、人差し指、中指、薬指、小指の第１関節付近まで被覆する形態の手カバー部２Ｂ（図２（ｂ）参照）が考えられる。この手カバー部２Ｂを用いることにより、指先以外を日焼け防止や保温効果とともに、携帯電話機などの操作も容易に行うことができる。さらに、パソコンのキーボードの操作などを容易に行うことができる。（３）親指、人差し指、中指、薬指、小指をそれぞれ挿入口４（４ａ〜４ｅ）に挿入し、親指、人差し指、中指、薬指、小指の第２関節付近まで被覆する形態の手カバー部２Ｃが考えられる（図２（ｃ）参照）。この手カバー部２Ｃを用いることにより、指以外を日焼け防止や保温効果があるとともに、サイクリングなどに用いる際に指部分に清涼感を感じながら使用することができる。また、手カバー部２Ｃを装着しながら、指に指輪を装着したり、また指爪にネイルを塗布することにより、ファッション性を向上させることもできる。このように、手カバー部２として、各種の手カバー部２が考えられる。
【００２２】
手カバー部２の腕側端部５は、ナイロン製のストッキング生地を２重または３重にして少し厚くしている。これにより、手カバー部２を手部分に装着した際に締まりが良くなるとともに、手カバー部２の腕側端部５からの破損も少なくすることができる。なお、本実施形態では、手カバー部２の腕側端部５をナイロン製のストッキング生地を２重または３重にして少し厚くしているが、これに限らず、手カバー部２の腕側端部５の内側にシリコンゴムを取り付けて少し厚くするようにしてもよい。
【００２３】
上記のような構成の手カバー部２を手部に装着すると、手カバー部２は手部にフィット感良く密着して装着される。また、肌色のストッキング生地も手カバー部２を用いることにより、素手より見た目が良くなり、違和感なくファッション性を向上させることができる。
【００２４】
次に、腕カバー部３について説明する。腕カバー部３は、手カバー部２同様、ナイロン製のストッキング生地から生成され、腕部を覆う筒状形状で、腕部に装着された状態では、手首部分から肘部分上部に至る長さを有している。また、腕カバー部３の手側端部６および腕側端部７は、ナイロン製のストッキング生地を２重または３重にして少し厚くしている。これにより、腕カバー部３を腕部に装着した際に締まりが良くなるとともに、腕カバー部３の手側端部６および腕側端部７からの破損も少なくすることができる。なお、本実施形態では、腕カバー部３の手側端部６および腕側端部７をナイロン製のストッキング生地を２重または３重にして少し厚くしているが、これに限らず、腕カバー部３の手側端部６および腕側端部７の内側にシリコンゴムを取り付けて少し厚くするようにしてもよい。このように、腕カバー部３の腕側端部７の内側にシリコンゴムを取り付けることにより、シリコンゴムが腕部の周囲を密着し、ずれ落ちて弛みが生じることがなくすることができる。また、本実施形態では、手カバー部２と同様、腕カバー部３をナイロン製のストッキング生地から生成することにしたが、これに限らず、ポリウレタン製のストッキング生地や、厚手のタイツ生地から生成するようにしてもよく、腕カバー部３の素材は、ナイロン製のストッキング生地に限定されるものではない。また、本実施形態では、肌色の腕カバー部３を用いたが、これに限らず、黒色、灰色などの色の腕カバー部３であってもよく、肌色以外の腕カバー部３であってもよい。
【００２５】
次に、腕カバー部３と手カバー部２の装着方法について説明する。
【００２６】
まず、腕カバー部３から腕部分に装着する。腕カバー部３の腕部端部７の開口部を広げ、その開口部から手部を挿入し、そして、挿入した腕カバー部３を腕部までずらして、腕カバー部３を腕部に装着する。
【００２７】
次に、手カバー部２を手部に装着する。手カバー部２についても、腕カバー部３と同様、手カバー部２の腕側端部５の開口部を広げ、その開口部から手部を挿入し、そして、親指、人差し指、中指、薬指、小指を手カバー部２の挿入口４（４ａ〜４ｅ）にそれぞれ挿入させて、最後に手カバー部２の腕側端部５の厚くしている部位を腕カバー部３の手側端部６の厚くしている部位を超えて装着させる。手カバー部２の腕側端部５の厚くしている部位を腕カバー部３の手側端部６の厚くしている部位を超えて装着することにより、手カバー部２と腕カバー部３との接合部が離れることなく、接合を維持させることができる。これにより、手カバー部２と腕カバー部３の隙間から素肌を露出することもなく、ファッション性を向上させることができる。なお、本実施形態では、手カバー部２の腕側端部５および腕カバー部３の手側端部６をナイロン製のストッキング生地を２重または３重にして少し厚くし、手カバー部２の腕側端部５の厚くしている部位が腕カバー５の手側端部６の厚くしている部位を超えて装着することにより、手カバー部２と腕カバー部３との接合部が離れなくしているが、これに限らず、手カバー部２の腕側端部５および腕カバー部３の手側端部６のそれぞれに面ファスナー（手腕カバー接合手段）を設け、手カバー部２の腕側端部５の面ファスナーと腕カバー部３の手側端部６の面ファスナーを接合させることにより、手カバー部２と腕カバー部３との接合部が離れることなく、接合を維持させるようにしてもよい。また、手カバー部２の腕側端部５および腕カバー部３の手側端部６とのボタン（手腕カバー接合手段）により接合させるようにしてもよい。
【００２８】
以上のように、本実施形態の手腕分離型カバー１では、手カバー部２と腕カバー部３がそれぞれ分離しているので、腕カバー部３を取り外すことなく手カバー部２のみを素早く取り外すことができる。これにより、手腕分離型カバー１の使用者が、手洗いをする際や、男性がトイレで小便する際や、握手をする際に、手腕分離型カバー１の使用者は、手カバー部２のみ素早く取り外すことができるので、とても使用勝手を良くすることができる。また、手カバー部２と腕カバー部３がそれぞれ分離しているので、手カバー部２と腕カバー部３のいずれかが損傷により使用できなくなった場合でも、手カバー部２と腕カバー部３を全体を交換することなく、その使用できなくなった一方のものだけ交換すればよく、また、落ち着いた手カバー部２やファッション性のある手カバー部２やビジネスに使用する手カバー部２など、用途により手カバー部２のみを各種の手カバー部２に交換することもできる。
【００２９】
また、本実施形態の手腕分離型カバー１では、手カバー部２と腕カバー部２が、ＵＶカット可能なナイロン製であるので、日焼けによる皮膚の炎症や皮膚癌の発生の予防、および手腕の皺、染み、弛み、そばかす等の肌荒れ等を予防することができる。さらに、本実施形態の手腕分離型カバー１は、３０デニール未満の薄手の生地であるストッキング生地から生成されているので、手カバー部２および腕カバー部３を装着しても暑くならず、清涼感を感じながら使用することができるとともに、フィット感があり、引き締め効果およびファッション性も向上させることができる。また、本実施形態の手腕分離型カバー１は、手カバー部２と腕カバー部３が、同一のナイロン製のストッキング生地から生成されているので、伸縮性、着用感が統一し使用しやすくなるとともに、ファッション性もさらに向上させることができる。
【００３０】
次に、本発明にかかる第２実施形態における手腕分離型カバーについて説明する。ここで、図４は本発明の第２実施形態における手腕分離型カバーの腕カバー部を示す図である。
【００３１】
本発明の第２実施形態と第１実施形態の異なるところは、第１実施形態の腕カバー部３では、手首部分から肘部分上部の長さを有していたが、第２実施形態の腕カバー部２３では、手首部分から脇部分までの長さを有している点で異なる。なお、第２実施形態においては、第１実施形態の腕カバー部３と長さのみ異なることから、腕カバー部２３についてのみ説明する。
【００３２】
腕カバー部２３は、第１実施形態同様、ナイロン製のストッキング生地から生成され、腕部を覆う筒状形状で、腕部に装着された状態では、手首部分から脇部分までの長さを有している。また、腕カバー部２３の手側端部２６および腕側端部２７は、第１実施形態同様、ナイロン製のストッキング生地を２重または３重にして少し厚くしている。これにより、腕カバー部２３を腕部に装着した際に締まりが良くなるとともに、腕カバー部２３の手側端部２６および腕側端部２７からの破損も少なくすることができる。なお、本実施形態では、腕カバー部２３の手側端部２６および腕側端部２７をナイロン製のストッキング生地を２重または３重にして少し厚くしているが、これに限らず、腕カバー部２３の手側端部２６および腕側端部２７にシリコンゴムを取り付けて少し厚くするようにしてもよい。
【００３３】
以上のように、本実施形態の手腕分離型カバーでは、腕カバー部２３が手首部分から脇部分までの長さを有しているので、半袖シャツを着衣した場合でも、素肌が露出せず、使用することができる。
【００３４】
次に、本発明にかかる第３実施形態における手腕分離型カバーについて説明する。ここで、図５は本発明の第３実施形態における手腕分離型カバーの腕カバー部を示す図である。
【００３５】
本発明の第３実施形態と第２実施形態の異なるところは、第２実施形態では、左右の腕に手首部分から脇部分までの長さの腕カバー部２３を別々に装着するものであったが、第３実施形態の腕カバー部３３は、手首部分から肩部分までの長さの左右の腕カバー部を一体形成にする左右腕カバー一体部３４を設けた点で異なる。具体的には、第３実施形態の腕カバー部３３は、手首部分から肩部分（タンクトップシャツ３５の両側肩部分の内部まで入る部分）の長さの左右の腕カバー部を、タンクトップシャツ３５内の背中側の首下から脇下までの範囲で左右の腕カバー部を一体形成にする左右腕カバー一体部３４を設けたところが異なる。
【００３６】
タンクトップシャツ３５を着用した場合は、第２実施形態の腕カバー部２３では、タンクトップシャツ３５と腕カバー部２３の間の素肌が外部に露出することになるが、本実施形態の腕カバー部３３を用いることにより、腕カバー部３３とタンクトップシャツ３５の間に素肌を露出することなく、ファッション性を向上させることができる。また、左右の腕カバー部と左右腕カバー一体部３４とを一体形成にしているので、左右の腕カバー部のフィット感が向上するとともにずり落ちることなくすることができる。また、左右腕カバー一体部３４が背中側の首下から略脇部内に配されているので、左右腕カバー一体部３４により胸が広げられストレッチ効果を有するとともに、背筋が張った状態になり猫背の人にとっても姿勢がよくなるという効果を有する。
【００３７】
なお、今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【００３８】
次に、本発明の変形例について、図６を参照にしながら説明する。ここで、図６は    本発明の変形例１における手腕分離型カバーの手カバー部を示す図である。
【００３９】
（変形例１）
第１実施形態〜第３実施形態の手カバー部２の腕側端部５では、ナイロン製のストッキング生地を２重または３重にして少し厚くしているが、変形例１の手カバー４２の腕側端部では、ナイロン製のストッキング生地を２重または３重にして少し厚くするとともに、手カバー部２と腕カバー部３（２３、３３）の接合部を覆うカバー接合被覆部４１を設けている。
【００４０】
カバー接合被覆部４１は、手カバー４２の腕側端部のナイロン製のストッキング生地を２重または３重にして少し厚くしている箇所に設けられ、手カバー４２の腕側端部の開口部を囲むように取り付けられている。
【００４１】
変形例１のように、手カバー部２と腕カバー部３（２３、３３）の接合部を覆うカバー接合被覆部４１を設け、手カバー部２と腕カバー部３（２３、３３）の接合部を隠すことにより、ファッション性を増大することができる。
【符号の説明】
【００４２】
１    手腕分離型カバー
２    手カバー部
３    腕カバー部
４    挿入口
５    手カバー部の腕側端部
６    腕カバー部の手側端部
７    腕カバー部の腕側端部
２３  腕カバー部
２６  腕カバー部の手側端部
２７  腕カバー部の腕側端部
３３  腕カバー部
３４  左右腕カバー一体部
３５  タンクトップシャツ
４１  カバー接合被覆部
４２  手カバー部
【図１】
0005819462.tif 000002
【図２】
0005819462.tif 000003
【図３】
0005819462.tif 000004
【図４】
0005819462.tif 000005
【図５】
0005819462.tif 000006
【図６】
0005819462.tif 000007